(57)【特許請求の範囲】
【請求項１】
無線端末の位置を表示する位置表示システムにおいて、
前記無線端末との間で無線による通信を行なう複数の無線基地局と、
前記無線端末の位置情報を要求又は取得し、該位置情報を表示する管理端末と、
前記複数の無線基地局と前記管理端末との間に位置する構内交換機と、
前記無線端末を充電するための充電器と
を備え、
前記無線端末は、位置登録処理を完了した後、該充電器への接続又は非接続の動作を検出すると、充電器接続についての充電器接続フラグをＯＮ又はＯＦＦに設定し、及び、周辺の無線基地局からの受信レベルを測定することにより、該無線基地局の無線基地局番号と測定された受信レベルを含む測定テーブルを作成し、
該測定テーブルに基づいた測定結果と充電器接続フラグとを、前記無線端末の位置情報として、自律的に又は該管理端末からの要求指示に従い、該管理端末に対して送信し、
前記管理端末は、該充電器接続フラグがＯＮ又はＯＦＦか、及び、受信された測定結果に含まれる無線基地局番号が自席フロアに設置されている無線基地局を示すか否かに応じて、前記無線端末の状態が自席か又は離席かをフロア単位で判断し、判断された該状態及び／又は前記無線端末の位置情報を管理又は表示し、及び、
前記無線端末は、前記管理端末へ位置情報を送信するときに、前記管理端末から呼設定受付メッセージを受信し又は前記管理端末へ呼設定受付メッセージを送信すると、次に、通信状態まで遷移せずに自らの測定結果と充電器接続フラグを含めた呼切断メッセージを前記管理端末へ送信するようにした位置表示システム。
【請求項２】
前記構内交換機は、公衆移動通信網を介して公衆基地局に接続され、
前記無線端末は、前記公衆基地局、公衆移動通信網及び構内交換機を経て、前記管理端末に、位置情報を送信することを特徴とする請求項１に記載の位置表示システム。
【請求項３】
前記無線端末は、
該受信レベルを区分するための受信レベルしきい値を予め複数段階保持し、
待受中の該無線端末に対する該無線基地局からの受信レベルと該受信レベルしきい値とを比較することにより、
待受け状態に戻るか、又は、待受け無線基地局はそのままで、該測定テーブルの位置情報に含まれる受信レベルを更新するか、又は、周辺の無線基地局を検索すると共に、待受け無線基地局を切替え、該測定テーブルの位置情報に含まれる受信レベル及び切替えられた無線基地局の番号を更新するようにした請求項１又は２に記載の位置表示システム。
【請求項４】
前記管理端末は、前記無線端末から受信した測定結果に基づいて、無線端末番号、無線端末状態、該測定テーブルに対応する無線基地局番号及び受信レベルを含む管理テーブルを、作成又は更新することを特徴とする請求項１乃至３のいずれかに記載の位置表示システム。
【請求項５】
前記管理端末は、特定の無線端末所持者の位置を確認したい場合、該管理端末に予め保持されている管理テーブルに基づいて、所望の無線端末が構内にいるか、又は、外出しているかを判定し、
構内では構内用電話番号、外出では公衆用電話番号をそれぞれ用いて、位置情報要求メッセージを該無線端末に送信し、
所望の無線端末から送信される位置情報を取得し、該管理端末の画面上に該位置情報を表示するようにした請求項１乃至４のいずれかに記載の位置表示システム。
【発明の詳細な説明】
【０００１】
【発明の属する技術分野】
本発明は、位置表示システムに係り、特に、無線端末（例えば、無線子機、移動端末）の位置情報を管理すると共に、この位置情報を管理端末等で表示する位置表示システムに関する。
【０００２】
【従来の技術】
近年、移動体通信を用いた位置表示システムが普及している。運送業、メンテナンス業等では、例えば、配送車又はフィールドエンジニアの位置を迅速に把握するために、無線子機である公衆ＰＨＳの位置情報サービスを利用している。この位置情報サービスでの位置情報は、一般的に、公衆ＰＨＳと通信を行っている基地局の番号（基地局番号）に基づいている。この無線子機の位置登録動作に応じて、無線子機と通信を行っている無線基地局の基地局番号を、位置情報として取得する位置表示システムとしては、例えば、特開平８−２４８１１５号公報に記載された技術が挙げられる。
【０００３】
この特開平８−２４８１１５号公報では、構内交換機と、端末固有の識別情報を送信する無線子機と、構内交換機に接続され、異なる網番号を報知情報で送信すると共に、無線子機からの識別情報を受信する基地局と、無線子機の位置を表示する行先位置表示装置とを備え、各々の基地局の無線ゾーンを分けることで、無線子機の電源を入れた時、又は、異なる無線ゾーンに無線子機が移動した時に起動する位置登録処理を利用して、行先位置情報を更新している。
【０００４】
【発明が解決しようとする課題】
しかしながら、上述の技術は、例えば、大規模なイベント会場や広大な遊園地等、通信トラフィックがそれほど多くなく、又は、配置される基地局数が比較的小さくて済むような場所では有効であるが、例えば、建物内のように比較的敷地面積が狭く、多量の通信トラフィックを確保する必要がある場所では、基地局は、無線サービスエリアを漏れなく確保するために、複数の基地局エリア（無線ゾーン）が重なりあって設置される場合がある。
【０００５】
このような設置環境で、全基地局の無線ゾーンを分けると、無線子機からの位置登録が頻繁に発生することになり、無線チャネルトラフィックが増加し、構内交換機での処理が逼迫されることが想定される。また、無線子機の近くに他の基地局が存在していても、無線子機が無線ゾーンを移動しない場合は、位置情報は更新されないため、無線ゾーンが重なり合うような環境では、無線子機の位置情報が実際の位置と異なってしまう状況が想定される。
【０００６】
さらに、行先位置表示装置に対する無線子機の位置情報の通知は、構内交換機と無線子機との位置登録処理が完了後、構内交換機から行われているが、この情報伝達は一方通行となっているため、この位置情報の通知が成功したか否かを確認することが困難となる。
【０００７】
本発明は、以上の点に鑑み、無線チャネルトラヒックの増加を抑え、構内交換機の処理を逼迫させることなく、無線子機の位置情報を更新する位置表示システムを提供することを目的とする。
また、本発明は、基地局番号だけではなく、無線基地局から送信される電波の受信レベル等の情報に基づいて、無線子機の位置情報をより高い精度で表示する位置表示システムを提供することを目的とする。また、本発明は、無線子機の通信シーケンスを短縮する位置表示システムを提供することを目的とする。
【０００８】
また、本発明は、無線子機の位置登録機能と、無線子機と充電器との接続及び離脱動作とを組み合わせることで、例えば、社員の出退勤を管理する位置表示システムを提供することを目的とする。また、本発明は、構内交換機と公衆移動通信網とを接続することで、例えば、社員が構内に居るか、又は外出しているのかを管理できる位置表示システムを提供することを目的とする。
【０００９】
【課題を解決するための手段】
本発明の解決手段によると、
無線端末の位置情報を受信する無線基地局と、
前記無線端末の位置情報を要求又は取得し、該位置情報を表示する管理端末と
前記無線基地局から送信される情報を制御するための構内交換機と、
前記無線端末を充電するための充電器と
を備え、
前記無線端末は、位置登録処理を完了した後、該充電器への接続又は非接続の動作を検出すると、充電器接続についての無線端末状態を設定し、周辺の無線基地局からの受信レベルを測定することにより、測定テーブルを作成し、
該測定テーブルに基づいた測定結果を、前記無線端末の位置情報として、自律的、又は、該管理端末からの要求指示に従い、該管理端末に対して送信し、
前記管理端末は、該測定結果に基づいて、前記無線端末の位置情報を管理又は表示するようにした位置表示システムを提供する。
【００１０】
本発明の特徴のひとつとしては、周辺の無線ゾーンの電波レベルを検索し、この検索結果を位置情報として保持すると共に、該位置情報を、自律的又は管理端末からの要求指示に応じて該管理端末に通知する無線子機と、無線子機を充電するための充電器と、無線子機の位置情報を測定するための電波を送信し、かつ、無線子機から送信される位置情報を、無線信号から有線信号に変換する無線基地局と、通常行われる発着呼等の呼処理及び無線基地局から送信される情報を制御する構内交換機と、無線子機の位置情報を取得し、該位置情報を表示する管理端末とを備える。
【００１１】
本発明の他の特徴としては、例えば、公衆無線基地局を制御する公衆移動通信網に接続することができる。
本発明の他の特徴としては、無線子機は、位置登録処理完了後であって、自席にある充電器との接続状態を検出した場合、周辺にある無線基地局からの受信レベルを測定することで、測定テーブルを作成し、この測定テーブルに基づいた測定結果を、管理端末に対して自律的に送信し、管理端末は、無線子機から送信された情報に基づいて無線子機の位置情報を管理することができる。
【００１２】
本発明の他の特徴としては、無線子機の受信レベルのしきい値を予め２段階に設定し、待受中に無線基地局からの受信レベルと該しきい値とを比較することにより、待受けする無線基地局はそのままで、測定テーブルの位置情報を更新するか、又は、待受けする無線基地局を切替えると共に、周辺の無線基地局の検索を行い、測定テーブルの位置情報を更新することができる。
本発明の他の特徴としては、無線子機から管理端末に対する位置情報通知に伴う通信シーケンスを、通信状態まで遷移させずに通知することにより、情報伝達の応答を速くし、管理端末が位置情報を取得するまでの時間を短縮することができる。
【００１３】
本発明の他の特徴としては、特定の無線子機所持者の位置を確認したい場合、管理端末は、管理端末に含まれる管理テーブルに基づいて該当する無線子機の位置が構内か又は外出かを判定し、無線子機の位置が構内であれば構内用電話番号、外出であれば公衆用電話番号をそれぞれ用いて、該無線子機の位置を示す位置情報を要求する位置情報要求メッセージを無線子機に送信し、さらに、該当する無線子機から送信される位置情報を取得し、管理端末画面上に位置情報を表示する。
【００１４】
【発明の実施の形態】
以下、図面を用いて本発明の実施の形態を詳細に説明する。
図１は、位置表示システム１００の構成図である。
位置表示システム１００は、例えば、各フロアに区切られた建物１１に配置された構内交換機１２と、構内交換機１２に接続され、各フロア毎に配置された無線基地局１３ａ〜ｄと、構内交換機１２に接続された管理端末１６と、無線基地局１３ａ〜ｄと無線信号で通信を行う無線子機１４ａ〜ｂと、無線子機１４ａ〜ｂを充電するための充電器１５ａ〜ｂとを備える。
【００１５】
また、構内交換機１２は、公衆移動通信網１７を介して公衆基地局１８に接続され、公衆モードの無線子機１４ｃは、公衆基地局１８と無線信号で通信を行う。無線ゾーン１〜５（無線ゾーン１９ａ〜ｅ）は、例えば、それぞれの無線基地局１３ａ〜ｄが対応する無線子機１４ａ〜ｂに対して各種サービスを行うことが可能な範囲を示しており、各無線ゾーン１９ａ〜ｄは、例えば、無線子機１４ａ〜ｂからの位置登録処理が逼迫することを回避するために、同一位置登録エリア２０として設定されている。管理端末１６には、例えば、無線子機１４ａ〜ｂの内線番号や位置情報が登録され、この位置情報を表示するための表示装置を備える。
【００１６】
また、建物１１内には、適宜の数の無線子機に応じて、各フロア毎に適宜の数の無線基地局を配置してもよい。また、公衆モードの無線子機１４ｃは、建物１１内では構内用、建物１１外に移動した際には、公衆用としてそれぞれ適用可能である。なお、ここでは、構内交換機１２、無線基地局１３ａ〜ｄ及び管理端末１６とのインタフェースとしては、例えば、ＩＳＤＮ（サービス総合ディジタル網）の基本インタフェースを使用し、無線基地局１３ａ〜ｄ、公衆基地局１８と無線子機１４ａ〜ｃ等とのインタフェースは、例えば、（財）電波システム開発センターにより制定された「第２世代コードレス電話システム」に関するＲＣＲＳＴＤ−２８で規定された通信プロトコルをベースとする。
【００１７】
図２は、本発明に関する無線子機、管理端末を含む位置表示システム１００のフローチャートである。ここでは、一例として、無線ゾーン１９ｂに含まれる無線子機１４ａが位置登録処理後に、管理端末１６に位置情報を送信する際について説明する。また、説明の便宜上、無線子機１４ａ側の処理（Ｓ２０１〜２１２）と、管理端末１６側の処理（Ｓ２１３〜２１９）とをそれぞれ分けて説明する。
【００１８】
（無線子機１４ａ側の処理であるＳ２０１〜２１２について）
まず、無線子機１４ａの電源をＯＮにすると（Ｓ２０１）、無線子機１４ａ内の内部状態を初期化し（Ｓ２０２）、位置登録処理を実行する（Ｓ２０３）。なお、ここでの位置登録処理は、通常の規定範囲内の処理であり、説明を省略する。つぎに、この位置登録処理が成功すると（Ｓ２０４）、後述する待受状態に遷移し（Ｓ２０５）、一方、失敗すると（Ｓ２０４）、再度、位置登録処理を実行する（Ｓ２０３）。また、ステップＳ２０５での待受状態で、無線子機１４ａが充電器１５ａとの接続又は非接続動作を検出すると（Ｓ２０６）、無線子機１４ａ内に保持される充電器接続フラグの変化を検出する（Ｓ２０７）。
【００１９】
ステップＳ２０７で、充電器接続フラグがＯＦＦからＯＮに変化した場合、充電器接続フラグをＯＮに設定し（Ｓ２０８）、一方、充電器接続フラグがＯＮからＯＦＦに変化した場合、充電器接続フラグをＯＦＦに設定する（Ｓ２０９）。つぎに、無線子機１４ａは、現在位置で、例えば、無線基地局１３ｂから送信される制御信号に基づいて無線基地局番号（ＢＳ番号）を取得すると共に、無線基地局１３ｂからの電波レベル（受信レベル）を測定し（Ｓ２１０）、測定結果テーブルを作成する（Ｓ２１１）。なお、測定結果テーブルに関しての詳細は、後述する。無線子機１４ａは、作成された測定結果テーブルと、ステップＳ２０７で検出された充電器接続フラグとを含む位置情報を、管理端末１６に対して発信する（Ｓ２１２）（詳細は、後述する）。なお、管理端末１６に対して情報を発信する際、管理端末１６に割当てられた内線番号を、無線子機１４ａに予め記憶させるようにしてもよい。
【００２０】
（ステップＳ２１０、２１１について）
まず、無線子機１４ａが上述の制御信号に含まれる発識別符号に基づいて、無線基地局番号を取得する場合について説明する。
図３は、発識別符号の説明図である。
発識別符号３０は、例えば、システム呼出符号３１と付加ＩＤ３２とを含む。発識別符号３０は、無線基地局１３ｂから送信される制御信号に含まれ、このシステム呼出符号３１と付加ＩＤ３２に対応する無線基地局番号が無線子機１４ａに取得される。
【００２１】
つぎに、測定結果テーブルについて説明する。
図４は、測定結果テーブルの説明図である。
測定結果テーブル４０は、例えば、複数のエントリを含み、各エントリには、受信レベル４３と、受信レベル４３の高い順に付される順番４１と、上述の取得した無線基地局番号（ここでは、順番４１に対応して、１０、９、１１、８、１）を示すＢＳ番号４２と、スロット位置４４と、測定時刻４５とを含む。
【００２２】
（ステップＳ２１２について）
まず、無線子機１４ａから管理端末１６に対して、ステップＳ２１１で作成された測定結果テーブル４０と、ステップＳ２０７で検出された充電器接続フラグとを含む位置情報を送信する際の通信シーケンスについて説明する。また、この位置情報を、管理端末１６に対して送信（報告）する場合としては、無線子機１４ａから自律的（自立的）に起動をかける場合と、管理端末１６から起動をかける場合がある。
【００２３】
図５は、無線子機１４ａから自律的に起動をかけて、位置情報を報告する際の通信シーケンス図である。
まず、無線子機１４ａ（ここでは、ＰＳ）は、例えば、位置情報に含まれる測定結果テーブル４０での受信レベル４３の最も高い（例えば、「５０」）エントリに対応するＢＳ番号４２（ここでは、「１０」）である無線基地局（例えば、無線基地局１３ａ〜ｄのいずれかあり、ここでは、ＢＳ１）との間で無線チャネルの確立を行うための無線リンク処理を実行する（Ｓ４０１）。ステップＳ４０１で無線子機ＰＳと無線基地局ＢＳ１間で無線リンクが確立された後、無線子機ＰＳは、呼設定メッセージを送信する（Ｓ４０２）。なお、ここでの無線リンクチャネル確立動作は、通常の規定範囲内の処理であり、説明を省略する。
【００２４】
ここで、呼設定メッセージについて説明する。
図６は、呼設定メッセージのフォーマットを示す説明図である。
呼設定メッセージは、管理端末１６に対して位置情報用のメッセージであることを伝えるために、ユーザ・ユーザ情報（ＵＵＩ）を含む。このフォーマット５０は、例えば、プロトコル識別子５１、呼番号５２、メッセージ種別（呼番号）５３、ＵＵＩ５４、内容長５５、プロトコル識別子５６、位置情報要求又は通知を示すユーザ情報５７を含む。
【００２５】
また、呼設定メッセージは、無線子機ＰＳから送信されると、無線基地局ＢＳ１内で無線信号から有線信号にメッセージフォーマット変換が行われるが、メッセージ内容についてはトランスペアレント（上位レイヤーが下位レイヤーを一切意識しなくても済む状態、「透過性の」と表現される）で転送されるので、ここでは、無線子機ＰＳと構内交換機１２（ここでは、ＰＢＸ）間のみのやりとりとして記載している。
【００２６】
ステップＳ４０２で、無線子機ＰＳから無線基地局ＢＳ１を経て構内交換機ＰＢＸに、送信された呼設定メッセージは、その後、構内交換機ＰＢＸから管理端末１６に引継がれる（Ｓ４０３）。さらに、呼設定受付メッセージが、管理端末１６から構内交換機ＰＢＸ、無線基地局ＢＳ１を経て無線子機ＰＳに、送信される（Ｓ４０４、Ｓ４０５）。無線子機ＰＳは、この呼設定受付メッセージを受信した後、通信（通話）状態まで遷移することなく、位置情報を含めた切断メッセージを、無線子機ＰＳから、無線基地局ＢＳ１、構内交換機ＰＢＸを経て管理端末１６に送信する（Ｓ４０６、Ｓ４０７）。
【００２７】
ここで、切断メッセージについて説明する。
図７は、切断メッセージのフォーマットを示す説明図である。
このフォーマット６０は、例えば、プロトコル識別子６１、呼番号６２、メッセージ種別（切断）６３、ＵＵＩ６４、内容長６５、プロトコル識別子６６、位置情報報告を示すユーザ情報６７を含み、さらに、無線子機ＰＳ内に保持されている上述した充電器接続フラグ情報６９と、作成された測定結果テーブル４０のＢＳ番号４２、受信レベル４３及び測定時刻４５とを含むＢＳ測定データ（位置情報）６８を、測定した無線基地局台数分（例えば、Ｎ台分）付加したものである。
【００２８】
その後、解放メッセージを、管理端末１６から構内交換機ＰＢＸ、無線基地局ＢＳ１を経て無線子機ＰＳに、送信する（Ｓ４０８、Ｓ４０９）。また、無線基地局ＢＳ１は、解放完了メッセージを、管理端末１６に送信する（Ｓ４１０）。こうして、管理端末１６は、測定結果に基づき位置情報に関するデータを記憶した管理端末無線子機管理テーブルを作成又は更新する。さらに、無線子機ＰＳと無線基地局ＢＳ１間で無線チャネルの切断を行うための無線リンク切断処理を実行する（Ｓ４１１）。なお、ステップＳ４１０での解放完了メッセージと、ステップＳ４１１での無線リンク切断処理は、比較的応答性の良いものとしている。
【００２９】
図８は、管理端末無線子機管理テーブルの説明図である。
管理端末無線子機管理テーブル８０は、例えば、無線子機ＰＳの内線番号８１、公衆番号８２、子機状態８３、構内／屋外欄８４、ＢＳ番号８５，８７、受信レベル８６，８８及び測定時刻８９を含む。ここで、内線番号８１「例えば、１」に対応するエントリには、例えば、測定結果テーブル４０に含まれる順番「１〜５」に対応するＢＳ番号４２及び受信レベル４３が、ＢＳ番号８５，８７（ここでは、２台分しか図示していない）及び受信レベル８６，８８（ここでは、２台分しか図示していない）として含まれる。なお、ここでは、測定結果テーブル４０には、例えば、順番「１〜５」に対応する５台分の無線基地局を測定した結果を示しているが、測定可能な範囲にある周辺の無線基地局であれば、適宜の数の無線基地局の測定結果をエントリできる。
【００３０】
図９は、管理端末１６から起動をかけて、位置情報を報告する際の通信シーケンス図である。
まず、ユーザ（管理者）は、管理端末１６の画面、又は、キーボード等の適宜の入力手段を用いて、ある特定の無線子機ＰＳの現在位置を測定するための指示を行う（Ｓ５０１）。管理端末１６は、管理端末無線子機管理テーブル８０により、指示された内線番号に対応する無線子機ＰＳが構内として登録されているか、又は、屋外として登録されているかを確認する（Ｓ５０３）。
【００３１】
まず、ステップＳ５０３で無線子機ＰＳの現在位置が構内として登録されている場合について説明する。
管理端末１６は、上述の管理端末無線子機管理テーブル８０に登録されている内線番号８１を使用して、構内交換機１２（ここでは、ＰＢＸ）に対して呼設定メッセージを送信し、ある特定の無線子機ＰＳの位置情報の取得を要求する（Ｓ５０４）。また、構内交換機ＰＢＸは、呼設定メッセージを、無線子機ＰＳが待受けている無線基地局ＢＳ１に対して送信する（Ｓ５０５）。無線基地局ＢＳ１は、この呼設定メッセージを無線子機ＰＳに対して着呼信号として送信する（Ｓ５０６）。
【００３２】
ステップＳ５０６で着呼信号を受信した無線子機ＰＳは、無線基地局ＢＳ１と無線リンク処理を行い、無線チャネルの確立を行う（Ｓ５０７）。無線リンクが確立されると、無線子機ＰＳは、無線基地局ＢＳ１に対して着呼応答メッセージを送信し（Ｓ５０８）、その後、無線基地局ＢＳ１から上述の呼設定メッセージを受信する（Ｓ５０９）。無線子機ＰＳは、呼設定メッセージを受信すると、呼設定受付メッセージを、無線基地局ＢＳ１、構内交換機ＰＢＸを経て管理端末１６に送信する（Ｓ５１０、Ｓ５１１）。
【００３３】
また、無線子機ＰＳは、この呼設定受付メッセージを送信した後、通信（通話）状態まで遷移することなく、位置情報を含めた上述の切断メッセージを、無線基地局ＢＳ１及び構内交換機ＰＢＸを経て、管理端末１６に送信する（Ｓ５１２、Ｓ５１３）。管理端末１６は、切断処理を終了した後（Ｓ５１４）、上述の管理端末無線子機管理テーブル８０を更新すると共に（Ｓ５１６）、管理端末１６の画面に無線子機ＰＳの現在位置を表示する（Ｓ５１７）。また、無線子機ＰＳは、無線基地局ＢＳ１との間で、無線切断処理を実行した後（Ｓ５１５）、待受状態に遷移する（Ｓ５１８）。
【００３４】
つぎに、ステップＳ５０３で無線子機ＰＳの現在位置が屋外として登録されている場合について説明する。なお、屋外に登録されている無線子機ＰＳは、公衆モードであり、説明の便宜上、以下、公衆モード無線子機ＰＳとする。
【００３５】
管理端末１６は、上述の管理端末無線子機管理テーブル８０に含まれる内線番号８１に登録されている公衆用番号８２を使用して、構内交換機１２（ここでは、ＰＢＸ）、公衆移動通信網（ここでは、公衆ＰＨＳ網）１７を経て、公衆基地局１８（ここでは、ＢＳ）に対して呼設定メッセージを送信する（Ｓ５１９、Ｓ５２０）。この呼設定メッセージは、公衆ＰＨＳ網から公衆基地局ＢＳに対して引継がれ、さらに、公衆基地局ＢＳから無線上の着呼信号として、公衆モード無線子機ＰＳに送信される（Ｓ５２１）。
【００３６】
ステップＳ５２１で着呼信号を受信した公衆モード無線子機ＰＳは、公衆基地局ＢＳとの無線リンク処理を経て（Ｓ５２２）、公衆基地局ＢＳに対して着呼応答メッセージを送信すると共に（Ｓ５２３）、公衆基地局ＢＳから送信される呼設定メッセージを受信する（Ｓ５２４）。また、公衆モード無線子機ＰＳは、呼設定受付メッセージを、公衆基地局ＢＳ、公衆ＰＨＳ網及び構内交換機ＰＢＸを経て、管理端末１６に対して送信する（Ｓ５２５、Ｓ５２６）。
【００３７】
また、公衆モード無線子機ＰＳは、この呼設定受付メッセージを送信した後、通信（通話）状態まで遷移することなく、位置情報を含めた切断メッセージを、公衆基地局ＢＳ、公衆ＰＨＳ網及び構内交換機ＰＢＸを経て、管理端末１６に送信する（Ｓ５２７、Ｓ５２８）。管理端末１６は、切断処理を行った後（Ｓ５２９）、上述の管理端末無線子機管理テーブル８０を更新すると共に（Ｓ５３１）、管理端末１６の画面上に公衆モード無線子機ＰＳの現在位置を表示する（Ｓ５３２）。また、公衆モード無線子機ＰＳは、公衆基地局ＢＳとの間で、上述の無線切断処理を実行した後（Ｓ５３０）、待受状態に遷移する（Ｓ５３３）。
【００３８】
（無線子機１４ａの待受状態について）
ここで、待受中の無線子機１４ａが受信レベル４３に応じて、測定結果テーブル４０を更新する場合について説明する。
【００３９】
図１０は、待受中の無線子機１４ａが測定結果テーブル４０を更新する際のフローチャートである。
無線子機１４ａは、待受状態中（Ｓ３０２）、例えば、無線基地局１３ｂから一定間隔で送信される制御信号を受信しており（Ｓ３０３）、制御信号受信時に待受中の無線基地局１３ｂの受信レベルを監視している。この受信レベルを判定するためのしきい値を、例えば、予め２段階設定し、それぞれを受信レベルしきい値１及び２とする。ここで、受信レベルは、例えば、無線子機１４ａ内のメモリに予め登録しておき、（受信レベル１）＞（受信レベル２）と設定する。なお、受信レベルは、必要時に適宜変更することができる。
【００４０】
つぎに、受信レベルしきい値１の判定を行い（Ｓ３０４）、受信レベルしきい値１以上の場合には、引き続き待受状態が継続され、測定結果テーブル４０の更新は実行されない。一方、ステップＳ３０４で、制御信号の受信レベルが受信レベル１しきい値以下であり（Ｓ３０４）、かつ、受信レベルしきい値２以下である場合（Ｓ３０５）、待受無線基地局１３ｂを切替えると共に（Ｓ３０８）、周辺の無線基地局（例えば、１３ａ、１３ｃ、１３ｄのいずれか）のＢＳ番号４２及び受信レベル４３の測定を実行し（Ｓ３０９）、測定結果テーブル４０に含まれる情報を更新する（Ｓ３１０）。また、制御信号の受信レベルが受信レベル１しきい値以下であり（Ｓ３０４）、かつ、受信レベル２しきい値以上である場合（Ｓ３０５）、待受無線基地局１３ｂは切替えずに、受信レベル４３のみを測定すると共に（Ｓ３０６）、測定結果テーブル４０に含まれる受信レベル４３等に関する情報を更新する（Ｓ３０７）。
【００４１】
（管理端末１６側の処理であるＳ２１３〜２１９について）
ここで、図２に戻り説明すると、管理端末１６は、ステップＳ２１１で作成された測定結果テーブル４０と、ステップＳ２０７で検出された充電器接続フラグとを含む位置情報を、上述した通信シーケンスを経て取得した後（Ｓ２１３）、まず、位置情報に含まれる充電器接続フラグ６９がＯＮかＯＦＦかを判定する（Ｓ２１４）。
【００４２】
ステップＳ２１４で充電器接続フラグ６９がＯＮである場合、管理端末１６は、位置情報に含まれる測定結果テーブル４０から測定された無線基地局のＢＳ番号４２及び受信レベル４３を取込むと共に、管理端末無線子機管理テーブル８０を用いて、位置情報を報告してきた無線子機の内線番号８１に対応するエントリに登録されている最寄りのＢＳ番号８５，８７等と、上述のＢＳ番号４２とを照合する（Ｓ２１５）。ステップＳ２１５で照合した結果、最寄りの無線基地局が自席フロアに設置されているならば、例えば、上述の管理端末無線子機管理テーブル８０の子機状態８３に自席として登録する（Ｓ２１６）。
【００４３】
また、ステップＳ２１４で充電器接続フラグ６９がＯＦＦである場合、又は、ステップＳ２１５で位置情報内に最寄りの無線基地局番号がない場合、管理端末１６は、上述の管理端末無線子機管理テーブル８０の子機状態８３を離席状態として登録する（Ｓ２１８）。また、管理端末無線子機管理テーブル８０に登録した内容は、ユーザが画面表示を要求した時に（Ｓ２１７）、管理端末１６の画面上に表示させることができる（Ｓ２１９）。
【００４４】
このように、本実施の形態による位置表示システム１００では、例えば、無線子機１４ａの位置登録処理を利用せずに、位置情報を更新することにより、構内交換機１２の処理の逼迫を回避することができる。また、上述の実施の形態では、例えば、無線子機１４ａで周辺の無線基地局（Ｎ台分、例えば、ここでは、５台分）情報を測定し、無線子機１４ａからの自律的な通知、又は、管理端末１６からの要求指示に応じて、測定した結果を報告することにより、精度の高い位置情報をユーザに提供することができる。さらに、上述の実施の形態では、例えば、無線子機１４ａと管理端末１６との通信シーケンスに関して、無線子機１４ａと管理端末１６とが通信状態に遷移することなく、強制的に切断メッセージを送信することにより、通信シーケンスに要する処理時間を短縮することができる。
【００４５】
また、上述の実施の形態では、例えば、自席にある充電器１５ａとの接続又は離脱情報を位置情報に含めることにより、無線子機所有者（例えば、社員）の自席及び離席の管理を行うことができ、さらに、無線子機１４ａから報告される無線基地局番号４２や受信レベル４３等の位置情報に基づいて、建物１１内のフロア単位での位置表示を行うことができる。さらに、自席・離席以外にも、勤務時間又は他の情報を追加することで、出勤前、退勤等の情報を識別することもできる。
【００４６】
さらに、上述の実施の形態では、公衆移動通信網１７と接続することにより、構内／外出の管理を行うことができ、公衆移動通信網１７に接続される公衆基地局１８の地図情報と、管理端末無線子機管理テーブル８０及び測定結果テーブル４０の情報とを関連付けすることで、構内／屋外の位置表示確認を行うことができる。また、無線子機１４ａが周辺にある複数の無線基地局の受信レベルを測定し、この測定結果を含む位置情報を管理端末１６に送信することにより、管理端末１６は、この位置情報を利用してより精度の高い位置表示確認を行うことができる。
【００４７】
【発明の効果】
本発明によると、以上説明した通り、構内交換機の処理を逼迫させることなく、無線子機の位置情報を更新することができる。また、本発明によると、基地局番号だけではなく、無線基地局から送信される電波の受信レベル等の情報に基づいて、無線子機の位置情報をより高い精度で表示することができる。また、本発明よると、無線子機の通信シーケンスを短縮することができる。
【００４８】
また、本発明によると、無線子機の位置情報に、無線子機と充電器との接続及び離脱状態を含めることで、例えば、社員の出退勤を管理することができる。また、本発明によると、構内交換機と公衆移動通信網とを接続することで、例えば、社員が構内に居るか、又は、外出しているのかを管理することができる。
【図面の簡単な説明】
【図１】位置表示システム１００の構成図。
【図２】本発明に関する無線子機、管理端末を含む位置表示システム１００のフローチャート。
【図３】発識別符号の説明図。
【図４】測定結果テーブルの説明図。
【図５】無線子機１４ａから自律的に起動をかけて、位置情報を報告する際の通信シーケンス図。
【図６】呼設定メッセージのフォーマットを示す説明図。
【図７】切断メッセージのフォーマットを示す説明図。
【図８】管理端末無線子機管理テーブルの説明図。
【図９】管理端末１６から起動をかけて、位置情報を報告する際の通信シーケンス図。
【図１０】待受中の無線子機１４ａが測定結果テーブル４０を更新する際のフローチャート。
【符号の説明】
１１  ビル等の建物
１２  構内交換機
１３ａ〜ｄ  無線基地局
１４ａ〜ｂ  無線子機
１４ｃ      公衆モード無線子機
１５ａ〜ｂ  充電器
１６  管理端末
１７  公衆移動通信網
１８  公衆基地局
１９ａ〜ｄ  無線ゾーン
【図１】
0003746946.tif 000002
【図２】
0003746946.tif 000003
【図３】
0003746946.tif 000004
【図４】
0003746946.tif 000005
【図５】
0003746946.tif 000006
【図６】
0003746946.tif 000007
【図７】
0003746946.tif 000008
【図８】
0003746946.tif 000009
【図９】
0003746946.tif 000010
【図１０】
0003746946.tif 000011